(57)【要約】【課題】  限られた表示面積を有効に利用して、受け付けたジョブの処理状況を、ジョブの詳細情報を含めて、ユーザが容易に把握することができる画像データ処理装置を実現する。【解決手段】  タッチパネル４ｃの画面には、プリンタ装置が受け付けたジョブの存在を示すジョブアイコン１０１〜１０４が表示されると共に、表示させているジョブアイコン１０１〜１０４の何れかが操作されると、操作されたジョブアイコン１０４のジョブに関する詳細情報を開示する情報ウインドウ２０１を追加表示する。【選択図】図７
2008225708.tif 000002
【特許請求の範囲】
【請求項１】
ジョブ受付部が、装置外部と通信を行って画像データと該画像データをジョブ処理するための制御データとを受信することでジョブを受け付け、ジョブ処理部が受け付けたジョブを実行する画像データ処理装置において、
画面に情報を表示すると共に該画面を操作することで指示を入力できる表示入力部と、
上記表示入力部の画面に、受け付けたジョブの存在を示すアイコンを表示させると共に、上記アイコンを表示させている状態で上記画面が操作されると、表示させている上記アイコンのジョブに関する情報を開示する情報ウインドウを追加表示させるジョブ情報表示制御部とを備えたことを特徴とする画像データ処理装置。
【請求項２】
上記ジョブ情報表示制御部は、複数のアイコンを表示させる場合、アイコン同士が重なり合わないように表示させることを特徴とする請求項１に記載の画像データ処理装置。
【請求項３】
上記ジョブ情報表示制御部は、複数のアイコンを表示させる場合、ジョブを受け付けた順にて、画面の対角線上に並ぶように表示させることを特徴とする請求項１に記載の画像データ処理装置。
【請求項４】
上記ジョブ情報表示制御部は、新たに受け付けたジョブのアイコンについては、受け付け済みのジョブのアイコンとは異なる表示形態にて表示させることを特徴とする請求項１に記載の画像データ処理装置。
【請求項５】
上記ジョブ情報表示制御部は、予め定める期間が経過すると、新たに受け付けたジョブのアイコンについても、受け付け済みのジョブのアイコンと同じ表示形態にて表示させることを特徴とする請求項４に記載の画像データ処理装置。
【請求項６】
上記ジョブ情報表示制御部は、ジョブ処理を実行中のジョブのアイコンについては、ジョブ処理待ちのジョブのアイコンとは異なる表示形態にて表示させることを特徴とする請求項１に記載の画像データ処理装置。
【請求項７】
上記ジョブ受付部は、ジョブデータの受信経路を複数有しており、
上記ジョブ情報表示制御部は、受信経路に応じたアイコンを表示させることを特徴とする請求項１に記載の画像データ処理装置。
【請求項８】
上記ジョブ情報表示制御部は、上記画面に表示させている上記アイコンが操作されると、操作されたアイコンのジョブに関する情報ウインドウを表示させることを特徴とする請求項１に記載の画像データ処理装置。
【請求項９】
上記ジョブ情報表示制御部は、操作された上記アイコンの近傍に上記情報ウインドウを表示させることを特徴とする請求項８に記載の画像データ処理装置。
【請求項１０】
上記ジョブ情報表示制御部は、操作されたアイコンと同じアイコンを表示させると共に、これら２つのアイコン間の領域に上記情報ウインドウを表示させることを特徴とする請求項８に記載の画像データ処理装置。
【請求項１１】
上記ジョブ情報表示制御部は、上記画面に情報ウインドウを表示している状態で、当該情報ウインドウの両サイドに表示されている何れかの上記アイコンがタッチ操作されると、情報ウインドウを消去させることを特徴とする請求項１０に記載の画像データ処理装置。
【請求項１２】
上記ジョブ情報表示制御部は、上記画面に表示させている上記アイコンがスライド操作されると、スライド操作に追随して操作されたアイコンと同じアイコンを表示すると共に、これら２つのアイコン間に形成される広さの変わる領域に、広さに応じた情報ウインドウを表示させることを特徴とする請求項８に記載の画像データ処理装置。
【請求項１３】
上記ジョブ情報表示制御部は、上記情報ウインドウを表示させてから予め定める期間が経過すると、情報ウインドウを消去させることを特徴とする特徴とする請求項１に記載の画像データ処理装置。
【請求項１４】
上記ジョブ情報表示制御部は、上記ジョブ処理部によるジョブ処理が完了すると、ジョブ処理の完了したジョブのアイコンを消去させると共に、上記情報ウインドウを表示させている場合は、上記情報ウインドウも消去させることを特徴とする請求項１に記載の画像データ処理装置。
【請求項１５】
記録シート上に画像データに基づく画像を作成する画像形成部を上記ジョブ処理部として備えることを特徴とする上記請求項１〜１４の何れか１項に記載の画像データ処理装置。
【請求項１６】
請求項１〜１５の何れか１項に記載の画像データ処理装置のジョブ情報表示制御部としてコンピュータを機能させるためのプログラム。
【請求項１７】
請求項１６に記載のプログラムが記録されたコンピュータ読み取り可能な記録媒体。
【発明の詳細な説明】
【技術分野】
【０００１】
本発明は、装置外部の機器と通信を行って画像データを受信し、受信した画像データに対して印刷等の処理を施す画像データ処理装置に関するものである。
【背景技術】
【０００２】
画像データを、当該画像データを印刷処理するための制御データと共に受信して印刷処理するプリンタ装置（画像データ処理装置）は、ネットワーク上に設置することで複数の利用者（クライアントの端末）からの印刷処理の依頼を受け付けて処理することが可能となる。プリンタ装置は、複数の印刷処理を並行して行うことはできないため、印刷処理を予約として受け付けて順に処理する。
【０００３】
以下、上記印刷処理のようにプリンタ装置が画像データと共に該画像データの処理に必要な制御データを受信して処理を実行する処理動作をジョブと称する。また、プリンタ装置が受信する画像データと制御データとからなるデータを、ジョブデータと称する。
【０００４】
ところが、このように１つのプリンタ装置が複数のジョブを予約として受け付けるとなると、プリンタ装置がどれだけのジョブを受け付けていて、どのような順にて処理しようとしているのかが分かりにくい。そのため、ジョブを依頼した側は、依頼したジョブが処理されるタイミングを容易に把握することはできず、業務の流れにも影響を受ける。
【０００５】
一方、従来、ネットワーク上に設置されたプリンタ装置であっても、少なくともスキャナ装置が搭載され、プリンタ機能だけでなくコピー機能やファクシミリ機能を併せもつ複合機として設置されたものにおいては、受け付けているジョブを一覧表示した確認画面を表示する機能を搭載して、利用者が必要に応じて予約されているジョブの一覧リストの表示を要求し、複合機の操作パネル（通常はスキャナ装置の操作パネル）上にリストを表示させるような環境が提案されている。
【０００６】
このような技術の具体的な例として、例えば、特許文献１には、ジョブの優先度の変更が可能な画像形成装置が開示されている。これによれば、操作パネル上のボタンを操作することで、出力中及び待機中のジョブが一覧表示された優先度変更画面が表示される。ユーザは、この優先度変更画面よりジョブの処理状況を知ることができる。
【０００７】
また、特許文献２には、待機画面に予約されているジョブの実行状況を示す表示エリアが設けられた複写装置が開示されている。これによれば、待機画面にて予約ジョブの実行状況を把握することができる。
【０００８】
さらに、本願出願人は、先に特許出願を行っており、該特許出願の公開公報である特許文献３には、基本画面を優先的に表示している状態で、基本画面の後側より予約ジョブが一覧表示されたジョブステータス画面の一部が顔を覗かせており、この覗いている部分に、予約ジョブの処理動作の内容が簡潔に一覧表示される画像形成装置が開示されている。
【特許文献１】特開２００５−１０２０４４号公報（２００５年４月１４日公開）
【特許文献２】特開２０００−９２２５７号公報（２０００年３月３１日公開）
【特許文献３】特開２００１−１５４７７３号公報（２００１年６月８日公開）
【発明の開示】
【発明が解決しようとする課題】
【０００９】
ところが、従来のプリンタ装置においては、情報を表示するための表示部を備えていないものが多く、また、たとえ表示部を備えているとしても、簡単な情報を表示し得る程度のものを備えているものに過ぎず、プリンタ装置の利用者が必要に応じて予約ジョブの一覧リストを表示させることができるようにはなっていなかった。
【００１０】
その理由は、プリンタ装置の場合、プリンタエンジンはパーソナルコンピュータ（以下、パソコンと略記する）等の画像データの送信側に搭載されており、プリンタ装置自身においては、表示部を利用した入力操作等を特に必要としなかったためである。なお、複合機として設置される場合には、コピー動作において、表示部を利用した入力操作が必要となるが、その場合は、スキャナ装置に設けられた表示部を有する操作パネルが利用される。
【００１１】
そこで、本願出願人は、プリンタ装置においても、装置が受け付けているジョブの処理状況をユーザが把握でき、依頼したジョブがどのようなタイミングで処理されるかを知ることが可能になるように、プリンタ装置に、上記した特許文献１〜３に開示された予約ジョブを一覧表示させる機能を搭載させることを考えた。
【００１２】
しかしながら、プリンタ装置にそのまま搭載するには、以下のような問題があることがわかった。すなわち、特許文献１、２は、プリンタ機能以外にコピー機能やファクシミリ機能を搭載した複合機を前提としているため、限られた表示面積に表示される情報は繁雑であり、利用者にとって理解しにくい操作画面となっている。そのため、受け付けたジョブの処理状況を明確に表示するといった点においては十分ではない。
【００１３】
さらに、特許文献１、２に記載されている構成では、予約されているジョブを一覧表示させた状態で、各ジョブの詳細情報（内容）を確認しようとすると、表示画面が遷移して選択されたジョブの詳細情報が表示される。そのため、元に戻る場合に混乱を招く虞もある。
【００１４】
また、本願出願人が先に提案している特許文献３の構成では、基本画面の下層よりジョブステータス画面が顔を覗かせている部分に、ジョブの処理動作の内容が簡潔に一覧表示されるので、特許文献１,２に比しては、ジョブの処理状況を把握しやすくはなっている。しかしながら、あくまでも複合機を前提としているため、受け付けたジョブの処理状況を明確に表示するといった点においては十分ではない。
【００１５】
本発明は、上記課題に鑑みなされたもので、操作パネルの限られた表示面積を有効に利用して、装置が受け付けているジョブの処理状況を、ジョブの詳細情報を含めてユーザが容易に把握することのできる画像データ処理装置を提供することを目的としている。
【課題を解決するための手段】
【００１６】
本発明の画像データ処理装置は、上記課題を解決するために、ジョブ受付部が、装置外部と通信を行って画像データと該画像データをジョブ処理するための制御データとを受信することでジョブを受け付け、ジョブ処理部が受け付けたジョブを実行する画像データ処理装置において、画面に情報を表示すると共に該画面を操作することで指示を入力できる表示入力部と、上記表示入力部の画面に、受け付けたジョブの存在を示すアイコンを表示させると共に、上記アイコンを表示させている状態で上記画面が操作されると、表示させている上記アイコンのジョブに関する情報を開示する情報ウインドウを追加表示させるジョブ情報表示制御部とを備えたことを特徴としている。
【００１７】
ここで、上記表示入力部は、例えばタッチパネル等にて構成され、画面に情報を表示すると共に画面からの指示入力が可能なものである。
【００１８】
これによれば、ジョブ情報表示制御部が、表示入力部の画面に、受け付けたジョブの存在を示すアイコンを表示させる。このようなアイコンによる表示により、操作パネルの限られた表示面積であっても、ユーザは、装置のジョブの受け付け状態を容易に把握することができる。
【００１９】
しかも、ジョブ情報表示制御部は、アイコンを表示させている状態で画面が操作されると、表示させているアイコンのジョブに関する情報を開示する情報ウインドウを追加表示させる。このような情報ウインドウにより、ユーザは、ジョブの詳細な情報を、他画面への遷移を伴うことなくアイコンが表示されている画面のままで確認することができる。
【００２０】
これにより、操作パネルの限られた表示面積を有効に利用して、ユーザは装置が受け付けたジョブの処理状況を、ジョブの詳細情報を含めて容易に把握することができる。
【００２１】
本発明の画像データ処理装置においては、さらに、上記ジョブ情報表示制御部が、複数のアイコンを表示させる場合、アイコン同士が重なり合わないように表示させる構成であることが好ましい。
【００２２】
これにより、ユーザは、アイコンの表示画面を見るだけで、装置が受け付けたジョブを一目瞭然に把握することができる。また、アイコンを操作するような場合にも、確実に操作すべきアイコンを操作することができる。
【００２３】
本発明の画像データ処理装置においては、さらに、上記ジョブ情報表示制御部が、複数のアイコンを表示させる場合、ジョブを受け付けた順にて、画面の対角線上に並ぶように表示させる構成であることが好ましい。
【００２４】
これにより、ユーザは、アイコンの表示画面を見るだけで、アイコンの並びより受け付け順を一目瞭然に把握することができる。
【００２５】
本発明の画像データ処理装置においては、さらに、上記ジョブ情報表示制御部が、新たに受け付けたジョブのアイコンについては、受け付け済みのジョブのアイコンとは異なる表示形態にて表示させる構成であることが好ましい。
【００２６】
これにより、ユーザは、アイコンの表示画面を見るだけで、新たなジョブを装置が受け付けことを、一目瞭然に把握することができる。
【００２７】
また、この場合、上記ジョブ情報表示制御部は、予め定める期間が経過すると、新たに受け付けたジョブのアイコンについても、受け付け済みのジョブのアイコンと同じ表示形態にて表示させる構成とすることがより好ましい。
【００２８】
これにより、例えば次のジョブを受け付けるまで、新規受け付けの表示形態を継続するような構成に比して、受け付けてからまだあまり時間がたっていない新しいジョブであることを、ユーザに正確に知らせることができる。
【００２９】
本発明の画像データ処理装置においては、さらに、上記ジョブ情報表示制御部が、ジョブ処理を実行中のジョブのアイコンについては、ジョブ処理待ちのジョブのアイコンとは異なる表示形態にて表示させる構成とすることが好ましい。
【００３０】
これにより、ユーザは、アイコンの表示画面を見るだけで、処理を実行中のジョブがどれであるのかを、一目瞭然に把握することができる。
【００３１】
本発明の画像データ処理装置においては、さらに、上記ジョブ受付部は、ジョブデータの受信経路を複数有しており、上記ジョブ情報表示制御部が、受信経路に応じたアイコンを表示させる構成とすることが好ましい。
【００３２】
ジョブの受信経路より、ジョブの機能を割り当てることができる。例えば、本装置が、プリンタ装置であるとすると、ＦＡＸモデムにて受信したジョブに対しては、画像データ処理装置は、ＦＡＸ装置として機能するので、当該ジョブの機能をＦＡＸとすることができる。その他、通信部にて受信したジョブに対しては、画像データ処理装置が、他のパソコン等からのジョブを処理するプリンタとして機能するので、当該ジョブの機能をプリンタとすることができる。
【００３３】
このように、受信経路に応じてアイコンの形状等を異ならせることで、ユーザは、アイコンの表示画面を見るだけで、受け付けているジョブの機能（種類）を一目瞭然に把握することができる。
【００３４】
本発明の画像データ処理装置においては、さらに、上記ジョブ情報表示制御部が、上記画面に表示させている上記アイコンが操作されると、操作されたアイコンのジョブに関する情報ウインドウを表示させる構成とすることが好ましい。
【００３５】
これにより、アイコンを直接操作して、そのアイコンが存在を示すジョブの情報ウインドウを表示させることができるので、情報ウインドウをより簡単に表示させることができる。
【００３６】
本発明の画像データ処理装置においては、さらに、上記ジョブ情報表示制御部が、操作された上記アイコンの近傍に上記情報ウインドウを表示させる構成とすることが好ましい。
【００３７】
これにより、操作されたアイコンより離れて情報ウインドウが表示される構成に比して、ユーザは、アイコンと情報ウインドウとの関係を容易に把握することができる。
【００３８】
アイコンの近くに情報ウインドウを表示させるにあたり、例えば、操作されたアイコンと同じアイコンを表示させると共に、これら２つのアイコン間の領域に上記情報ウインドウを表示させるようにすることもできる。このような情報ウインドウの表示のさせ方は、ユーザによるアイコンと情報ウインドウとの関係の把握をより一層容易にする。
【００３９】
さらに、このような表示のさせ方においては、例えば、上記画面に情報ウインドウを表示している状態で、当該情報ウインドウの両サイドに表示されている何れかの上記アイコンがタッチ操作されると、情報ウインドウを消去させるようにすることもできる。
【００４０】
また、アイコンの近くに情報ウインドウを表示させるにあたり、アイコンがスライド操作されると、スライド操作に追随して操作されたアイコンと同じアイコンを表示すると共に、これら２つのアイコン間に形成される広さの変わる領域に、広さに応じた情報ウインドウを表示させるようにすることもできる。
【００４１】
このような情報ウインドウの表示のさせ方は、ユーザによるアイコンと情報ウインドウとの関係の把握をより一層容易にすると共に、情報ウインドウのサイズをユーザ自身で変更することができる。例えば、複数の情報ウインドウを開いた場合など、各情報ウインドウの表示サイズを調整するといったことも可能になる。
【００４２】
本発明の画像データ処理装置においては、さらに、上記ジョブ情報表示制御部が、上記情報ウインドウを表示させてから予め定める期間が経過すると、情報ウインドウを消去させる構成とすることが好ましい。
【００４３】
これにより、ユーザが情報ウインドウを閉じる（消去する）操作を忘れても、時間が経過すると情報ウインドウは自動的に消去され、元のアイコンの表示画面に戻るので、不要な情報ウインドウの表示にて、アイコンの表示スペースが阻害されるようなことを防ぐことができる。
【００４４】
本発明の画像データ処理装置においては、さらに、上記ジョブ情報表示制御部が、上記ジョブ処理部によるジョブ処理が完了すると、ジョブ処理の完了したジョブのアイコンを消去させると共に、上記情報ウインドウを表示させている場合は、上記情報ウインドウも消去させる構成とすることが好ましい。
【００４５】
これにより、処理を終了したジョブに関するアイコンは画面より消去されるので、アイコンの表示画面は、常に、処理中か処理待ちのジョブに関するものだけとなり、ユーザは、現時点でのジョブの処理状況を、一目瞭然に把握することができる。
【００４６】
本発明の画像データ処理装置においては、さらに、記録シート上に画像データに基づく画像を作成する画像形成部を上記ジョブ処理部として備えることを特徴とすることもできる。
【００４７】
ところで、上記画像データ処理装置は、ハードウェアで実現してもよいし、プログラムをコンピュータに実行させることによって実現してもよい。具体的には、本発明に係るプログラムは、ジョブ情報表示制御部としてコンピュータを動作させるプログラムであり、本発明に係る記録媒体には、当該プログラムが記録されている。
【００４８】
これらのプログラムがコンピュータによって実行されると、当該コンピュータは、上記画像データ処理装置として動作する。したがって、上記画像データ処理装置と同様の作用効果を奏することがきる。
【発明の効果】
【００４９】
本発明の画像データ処理装置は、以上のように、画面に情報を表示すると共に該画面を操作することで指示を入力できる表示入力部と、上記表示入力部の画面に、受け付けたジョブの存在を示すアイコンを表示させると共に、上記アイコンを表示させている状態で上記画面が操作されると、表示させている上記アイコンのジョブに関する情報を開示する情報ウインドウを追加表示させるジョブ情報表示制御部とを備えた構成である。
【００５０】
これにより、操作パネルの限られた表示面積を有効に利用して、ユーザは装置が受け付けたジョブの処理状況を容易に把握することのできるという効果を奏する。
【発明を実施するための最良の形態】
【００５１】
本発明の実施の一形態について、図１〜図１６を参照して以下に説明する。
【００５２】
先ず、図２を用いて、本実施の施態であるプリンタ装置（画像データ処理装置、画像形成装置）１の全体構成を説明する。図２は、本プリンタ装置１の全体構成を示す機能ブロック図である。
【００５３】
図２に示すように、プリンタ装置１は、装置外部の機器と通信を可能に設けられている。そして、プリンタ装置１は、外部の機器よるジョブデータを受信することでジョブを受け付け、ジョブデータに含まれる画像データに対する印刷処理を実施する。ジョブデータには、画像データと、該画像データをジョブ処理（印刷処理）するための制御データとが含まれている。
【００５４】
プリンタ装置１は、ユーザの入力を受け付ける操作部（表示入力部）４と、画像データに対する印刷処理を行う画像形成部（ジョブ処理部）６と、画像データに対して画像処理を施す画像処理部９と、画像データを保存するハードディスク装置１２と、装置外部の機器と通信を行うための通信手段を構成する通信部１０，ＦＡＸモデム５，通信インターフェース７と、装置全体の制御情報や設定情報等を記憶している管理部１４と、装置全体の制御を司る機器制御部８とを備えている。
【００５５】
操作部４は、入力部４ａと表示部４ｂとを有し、装置全体の操作や各種設定の入力を可能にし、入力内容や装置全体の動作状況を表示する。入力部４ａは、特に図示するものではないが、表示部４ｂの近傍に配置されたキー群と、表示部４ｂ上に配置されたタッチスクリーンとを有している。このタッチスクリーンと表示部４ｂとで、画面にユーザが触れることで指示を入力できるタッチパネル４ｃが構成されている。表示部４ｂは、例えば液晶パネル等よりなり、本プリンタ装置１では、図３に示すように、操作部４に対峙するユーザの左右方向に細長い矩形形状をなしている。
【００５６】
画像形成部６は、画像データに基づく画像を記録シート上に印刷する。画像形成部６は、画像データを記憶するローカルメモリ６ａと、レーザ走査ユニット等を備えた印字部６ｂとを有する。印字部６ｂは、ローカルメモリ６ａに記憶された画像データに基づいて、図示しない給紙部から供給される記録シートに画像を印刷する。
【００５７】
画像処理部９は、ローカルメモリ６ａに記憶された画像データに対して、圧縮や伸張、加工等の画像処理を施す。画像処理が施された画像データは、ローカルメモリ６ａより、印字部６ｂ或いはハードディスク装置１２に出力される。ハードディスク装置１２は、処理するための画像データを一時的に保存するものである。
【００５８】
通信部１０は、ネットワーク内の情報処理装置５４，５５からの画像データ、及びインターネットを通じて外部の情報処理装置５２やインターネットファクシミリ装置５１からジョブデータを受信する。通信部１０は、ＬＡＮケーブルを介して図示しないルータやスイッチングハブ等に接続され、パソコン、サーバ等の情報処理装置５４，５５によって形成されたネットワークと接続される。そして、ネットワークは、電話回線網や光ファイバ等の通信回線を介してインターネットに接続される。
【００５９】
ＦＡＸモデム５は、電話線を介して電話回線網と接続され、外部のファクシミリ装置５３とファクシミリ通信を行って、ファクシミリ装置５３からジョブデータを受信する。
【００６０】
通信インターフェース７は、外部コネクタ４５（図３参照）にＵＳＢメモリ５０が接続されることで、ＵＳＢメモリ５０と通信を行って、ＵＳＢメモリ５０内に格納されたジョブデータを受信する。詳細については後述するが、本プリンタ装置１は、パソコン等を介することなく、直接的にＵＳＢメモリ５０と通信を行ってジョブを受け付け、ＵＳＢメモリ５０内の画像データを印刷処理できるようになっている。
【００６１】
機器制御部８は、操作部４からの入力や、上記した通信部１０、ＦＡＸモデム５、通信インターフェース７を介してジョブデータの入力があると、管理部１４に記憶されている情報に基づいて、装置各部を制御して、入力された画像データを画像形成部６へと送出して、印刷処理を行わせる。
【００６２】
このようなプリンタ装置１において、画像形成部６には、通信部１０にて受信された情報処理装置５４，５５，５２やインターネットファクシミリ装置５１からの画像データ、ＦＡＸモデム５にて受信されたファクシミリ装置５３からの画像データ、及び通信インターフェース７にて受信されたＵＳＢメモリからの画像データが入力される。
【００６３】
機器制御部８は、入力された画像データを画像形成部６のローカルメモリ６ａに送り、画像処理部９による画像処理を施させる。画像処理が施された画像データは、出力される画像データとしてページ単位に展開され、一旦ハードディスク装置１２に記憶された後、ハードディスク装置１２から適切なタイミングで順次読み出されて再びローカルメモリ６ａに送られる。ローカルメモリ６ａの画像データは、印字部６ｂへの書き込みタイミングに合わせて印字部６ｂへ転送される。
【００６４】
画像データを複数枚印刷する場合も同様であり、画像データがページ単位でハードディスク装置１２へ記憶され、出力するモードに合わせてハードディスク装置１２からローカルメモリ６ａに送られる。ローカルメモリ６ａの画像データは、出力枚数の分だけ繰り返し、印字部６ａへの書き込みタイミングに合わせて印字部６ａへ転送される。
【００６５】
ところで、外部の機器からのジョブが集中した場合、１つの画像形成部にて並行して処理することはできないため、予約として受け付けて順に処理することとなる。従来のプリンタ装置の構成では、受け付けているジョブの数や処理順序等を簡単に確認できるようにはなっていない。そのため、ジョブを依頼した側は、依頼したジョブが処理されるタイミング等を容易に把握することができなかった。
【００６６】
これに対し、本実施形態のプリンタ装置１は、受け付けたジョブの処理順序等を確認することのできるジョブに関する情報（以下、ジョブ情報）をタッチパネル４ｃの限られた表示面積を有効に利用して表示するジョブ情報表示機能を備えている。
【００６７】
次に、本プリンタ装置１に搭載されたジョブ情報表示機能について詳細に説明する。本プリンタ装置１は、ジョブデータを受信してジョブを受け付けると、タッチパネル４ｃに受け付けたジョブの存在を示すジョブアイコンを表示する。そして、ジョブアイコンが表示されている状態でタッチパネル４ｃが操作されると、表示されているジョブアイコンのジョブに関する情報を開示する情報ウインドウを追加表示する。
【００６８】
このようなジョブ情報表示機能は、図１に示す、操作部４と、ジョブ情報表示制御部３０とで実現される。図１は、本プリンタ装置におけるジョブ情報表示機能を実現する要部の機能ブロック図である。
【００６９】
図１において、ジョブ受付部３１は、外部より送信されてくるジョブデータを受信してジョブを受け付けるものである。ジョブ受付部３１は、図２に示す通信部１０、ＦＡＸモデム５、及び通信インターフェース７にて構成されている。
【００７０】
ジョブデータには、前述したように、画像データと共に該画像データの印刷処理を実施するために必要な制御データが含まれ、制御データには、例えば、送信元の情報、記録シートのサイズの情報、枚数の情報、部数の情報等が含まれている。受け付けられたジョブデータは、受け付け日時や、受付経路を示す情報等を含めてジョブ情報表示制御部３０に送られる。
【００７１】
ジョブ情報表示制御部３０は、ジョブ受付部３１が受け付けたジョブの存在を示すジョブアイコンをタッチパネル４ｃに表示させるものである。さらに、ジョブ情報表示制御部３０は、タッチパネル４ｃにジョブアイコンを表示させている状態でタッチパネル４ｃが操作されると、表示させているジョブアイコンの印刷ジョブに関する情報ウインドウを追加表示させるものである。このようなジョブ情報表示制御部３０は、図１に示す管理部１４と機器制御部８にて構成される。
【００７２】
上記ジョブ情報表示制御部３０は、ジョブ管理部３２、ジョブ検出部３４、タッチパネル制御部３６、ジョブアイコン格納部３５、及び操作検出部３８を備えている。
【００７３】
ジョブ管理部３２は、ジョブ受付部３１が受け付けたジョブの処理状況を管理するものである。ジョブ受付部３１からは、ジョブデータと共に、受け付け日時や、受付経路を示す情報等が入力される。ジョブ管理部３２は、ジョブが受け付け順に処理されるように、処理状況を管理する。
【００７４】
ジョブ管理部３２は、例えば図１５に示すような管理テーブルを備えており、該管理テーブルにて、ジョブ毎に、受付日時、受信経路、画像データの送信元、記録シートのサイズ、枚数、部数等の情報が格納される。ジョブデータの送信元がパソコンやＵＳＢメモリである場合は、ファイル名やユーザ名も格納される。
【００７５】
そして、本プリンタ装置１では、ジョブ管理部３２は、ジョブを受信した経路に応じて、ジョブに機能情報を割り当てるようになっている。
【００７６】
例えば、ＦＡＸモデム５にて受信したジョブに対しては、プリンタ装置１がＦＡＸ装置として機能することを示す機能情報「ＦＡＸ」が割り当てられる。
【００７７】
また、通信部１０にて受信したジョブに対しては、プリンタ装置１がインターネットファクシミリ装置５１として機能することを示す「ｉＦＡＸ」か、プリンタ装置１が他のパソコン等からのジョブを処理する本来のプリンタとして機能することを示す「プリンタ」が割り当てられる。なお、「ｉＦＡＸ」か「プリンタ」かの違いは、Ｅ−ＭＡＩＬと同様にメールアドレスが付与された受信したデータは「ｉＦＡＸ」、ページ記述言語（ＰＤＬ：Page Description Language）形式で受信したデータは「プリンタ」として判別する。
【００７８】
さらに、上述したように、本プリンタ装置１は、通信インターフェース７にてＵＳＢメモリと直接的に通信を行ってジョブを受け付ける機能を有しているので、通信インターフェース７にて受信したジョブの対しては、このような特殊プリンタとして機能することを示す機能情報「ＵＳＢ」が割り当てられる。
【００７９】
ジョブ検出部３４は、ジョブ受付部３１よりジョブデータを受信すると、ジョブが発生したこをと検出して、タッチパネル制御部３６に送信する。
【００８０】
タッチパネル制御部３６は、表示部４ｂを制御して、プリンタ装置１が受け付けたジョブの存在を示すジョブアイコンを表示させる。本実施の形態では、受け付けジョブのうちで、処理中或いは処理待ちのジョブのジョブアイコンのみを表示する。また、詳細については後述するが、本プリンタ装置１においては、上記ジョブアイコンは、機能情報毎に定められている。
【００８１】
ここで、タッチパネル制御部３６は、ジョブ検出部３４による検出にて、新たなジョブが発生したことを検知すると、ジョブ管理部３２の管理内容を参照して、新たに受け付けたジョブの機能情報を取得する。そして、取得した機能情報に応じたジョブアイコンを、ジョブアイコン格納部３５より抽出してタッチパネル４ｃに表示させる。ジョブアイコン格納部３５には、タッチパネル４ｃに表示される種々のジョブアイコンの形状データが格納されている。
【００８２】
タッチパネル制御部３６は、ジョブが完了するまで当該ジョブのジョブアイコン表示を継続させ、ジョブが完了したことを確認すると、表示を終了して画面より消去させる。このようなジョブの処理状況は、ジョブ管理部３２の管理内容を参照して判断する。
【００８３】
また、タッチパネル制御部３６は、画面に複数のジョブアイコンを表示させるにあたり、画面の対角線に沿って受付順に表示させたり、重なり合わないようにずらして表示させたり、或いは、ジョブの処理状況に応じて表示形態を異ならせたりといった、様々な工夫を施す。これについては後述する。
【００８４】
さらに、タッチパネル制御部３６は、タッチパネル４ｃにジョブアイコンを表示させている状態で画面が操作されると、表示させているジョブアイコンのジョブに関する情報ウインドウを追加して表示させる。情報ウインドウにて表示される情報の内容は、機能情報毎に定められている。これについても後述する。
【００８５】
本プリンタ装置１では、タッチパネル制御部３６は、ジョブアイコンが操作されることで、操作されたジョブアイコンの印刷ジョブに関する情報ウインドウを、操作されたジョブアイコンの近傍に表示させる。なお、以下においては、情報ウインドウを表示することを開く、表示した情報ウインドウを非表示とすることを閉じると表現することがある。
【００８６】
操作検出部３８は、タッチパネル４ｃから入力される信号に基づいて、操作されたジョブアイコンを特定し、また、その操作方法を検出してタッチパネル制御部３６に送るものである。本プリンタ装置１において、情報ウインドウを表示させるジョブアイコンの操作方法として、スライド操作とタッチ操作の２種類がある。
【００８７】
スライド操作とは、図５に示すジョブアイコン１０４に対する操作のように、ジョブアイコン１０４を押圧した状態で平行移動させる操作である。一方、タッチ操作とは、図８に示すジョブアイコン１０４に対する操作のように、ジョブアイコン１０４を押圧した後、直ぐに押圧を解除する操作である。スライド操作である場合は、操作の奇跡もタッチパネル制御部３６に送られる。
【００８８】
以下、図３〜図１４を用いて、ジョブ情報表示制御部３０によるジョブ情報の表示の仕方について説明する。
【００８９】
先ず、ジョブアイコンの表示について説明する。図４の示すタッチパネル４ｃの画面は、プリンタ装置１が、機能情報「プリンタ」，「ｉＦＡＸ」，「ＦＡＸ」，「ＵＳＢ」の４つのジョブを受け付けている状態を示している。
【００９０】
図４において、参照符号１０１にて示すジョブアイコンが、機能情報「プリンタ」のジョブの存在を示すジョブアイコンである。○に「プリンタ」と記された形状を有している。参照符号１０２にて示すジョブアイコンが、機能情報「ｉＦＡＸ」のジョブの存在を示すジョブアイコンである。○に「ｉＦＡＸ」と記された形状を有する。
【００９１】
参照符号１０３にて示すジョブアイコンが、機能情報「ＦＡＸ」であるジョブの存在を示すジョブアイコンである。○に「ＦＡＸ」と記された形状を有する。参照符号１０４にて示すジョブアイコンが、機能情報「ＵＳＢ」であるジョブの存在を示すジョブアイコンである。○に「ＵＳＢ」と記された形状を有する。
【００９２】
このように、ジョブアイコンの形状を機能情報に応じて異ならせることで、ユーザは、タッチパネル４ｃの画面を視認するだけで、どのような種類（機能情報）のジョブが現在受け付けられているのかを簡単に把握することができる。
【００９３】
なお、例示した機能情報に応じたジョブアイコン１０１〜１０４の形状は一例であり、形状としては種々のものが考えられる。但し、形状の特徴に基づいてジョブの機能情報を特定できるものが好ましい。
【００９４】
これら複数のジョブアイコン１０１〜１０４は、図４に示すように、タッチパネル４ｃの画面左上の隅から斜めに、ここでは略画面対角線に沿って、受付順に配置される。処理は受付順に実施されるので、４つのジョブアイコン１０１〜１０４のうち、タッチパネル４ｃの画面左上の隅にあるジョブアイコン１０１が存在を示すジョブが、最も先に処理されるジョブとなる。そして、ジョブアイコン１０２が存在を示すジョブが、ジョブアイコン１０１のジョブの次に処理されるジョブであり、ジョブアイコン１０３のジョブ、ジョブアイコン１０４のジョブの順に処理される。
【００９５】
このような表示により、ユーザは、現時点で受け付けているジョブ数と共に、各印刷ジョブの処理順をも、一目瞭然に確認することが可能となる。
【００９６】
また、複数のジョブアイコンを表示するあたり、ジョブアイコン同士は互いに重なり合わないように表示することも重要である。ジョブアイコンが重なり合うと、受け付けているジョブ数を一目瞭然に把握することができなくなるだけでなく、後述するように、情報ウインドウを表示させる操作にも支障を来たす。
【００９７】
ずらして表示する場合、上記したジョブアイコン１０１〜１０４のように丸型のものは、四角や三角等の角のある形状のジョブアイコンに比して、画面の左右方向（長手方向）及び上下方向（短手方向）における互いの距離を近接させることができるといった利点もある。ジョブアイコンの数がさらに多くなる場合には、隣り合うジョブアイコンの間隔を適宜詰めて表示させるようにしてもよい。
【００９８】
また、図４に示すように、ジョブアイコン１０１〜１０４には、ジョブアイコンと共に、各ジョブアイコンより画面の上下方向に延びるライン部Ｌが表示される。このようなライン部Ｌは、ジョブアイコン１０１〜１０４の並びが強調され、ユーザの視認を助ける効果がある。
【００９９】
さらに、ジョブアイコン１０１〜１０４のうち、機能情報「プリンタ」のジョブアイコン１０１は、処理待ちのジョブアイコン１０２，１０３よりも、○部分が太く表示されて強調されている。これは、このジョブアイコン１０１が存在を示すジョブが現在処理中であることを示している。
【０１００】
このように、現在処理中のジョブに関するジョブアイコンの表示形態を、処理待ちのジョブに関するジョブアイコンと異ならせることで、ユーザは処理中であることを容易に認識できるようになる。
【０１０１】
同様に、図４における機能情報「ＵＳＢ」のジョブアイコン１０４は、処理待ちのジョブアイコン１０２，１０３が一重線であるのに対して、○部分が二重線にて表示され強調されている。これは、ジョブアイコン１０４が存在を示すジョブが新規受付のジョブであることを示している。
【０１０２】
このような新規受付のジョブアイコン１０４は、図３に示すように、ジョブアイコン１０１，１０２，１０３を表示している状態で、通信インターフェース７の外部コネクタ４５にＵＳＢメモリ５０が接続されることにより追加表示され、画面表示が図４のものへと切り替わる。
【０１０３】
新規受付のジョブに関するジョブアイコンの表示形態を、処理待ちのジョブに関するジョブアイコンと異ならせることで、新規受付されたジョブであることを、ユーザは容易に認識できる。
【０１０４】
新規受付ジョブであることを示す表示形態は、所定の期間が経過すると、処理待ちの通常の表示形態に戻る。これにより、最後に受け付けたジョブのジョブアイコンが、次のジョブを受け付けるまでいつまでも新規受付の表示形態で表示され続けるといった不都合を回避することができる。
【０１０５】
また、ＵＳＢメモリ５０が接続されたことを示す機能情報「ＵＳＢ」のジョブアイコンに関しては、後述するように情報ウインドウを用いて処理すべきデータが選択され、情報ウインドウが閉じられた時点で、通常の処理待ちの表示形態に戻るようにもなっている。
【０１０６】
なお、ここで示した表示形態の異ならせ方は一例であり、ジョブアイコンを点滅表示させたり、反転表示させたり、或いは、ジョブアイコンを回転させたりしてもいい。また、タッチパネル４ｃの表示部４ｂがカラー表示可能なものであれば、ジョブアイコンの色を異ならせたり、ジョブアイコンそのもの、或いはジョブアイコンの周囲、或いはライン部、或いはそれら全てを発光表示させたりしてもよい。
【０１０７】
一方、画面に表示されたジョブアイコンは、処理が完了すると消去されることとなるが、例えば図４に示す画面が表示されている状態において、ジョブアイコン１０１に関するジョブが終了すると、タッチパネル４ｃの表示は、図１４に示す表示例へと切り替わる。つまり、図１４に示すように、ジョブアイコン１０１が画面より消去されると同時に、後続のジョブアイコン１０２…が左斜め上方にシフトし、ジョブアイコン１０２を先頭に再表示されることとなる。
【０１０８】
このような表示とすることで、ジョブアイコンは、常に、画面の左上の隅より処理順に表示されるので、処理の終了したジョブに関するジョブアイコンを単に画面より消去する構成に比して、ユーザによる印刷ジョブの処理状況の把握が容易になる。
【０１０９】
続いて、情報ウインドウの表示について説明する。上述したように、本プリンタ装置１においては、画面に表示されているジョブアイコンを操作することで、操作したジョブアイコンの情報ウインドウを表示させることができる。情報ウインドウ内に表示される情報は、印刷ジョブの機能情報に応じて予め定められており、詳細については後述する。
【０１１０】
例えば図５に示すように、「ＵＳＢ」と記されたジョブアイコン１０４をスライド操作すると、図６、図７に示すように、スライド操作に追随するように情報ウインドウ２０１が表示される。この情報ウインドウ２０１は、機能情報「ＵＳＢ」の情報ウインドウである。
【０１１１】
より詳細には、スライド操作に追随して、ジョブアイコン１０４と同じ形状を有するサテライトアイコン１０４’が、ジョブアイコン１０４と対を成すように並行に表示され、これら２つのアイコン１０４・１０４’の間に、情報ウインドウ２０１が表示される。
【０１１２】
このとき、ジョブアイコン１０４のさらに右側に後続の印刷ジョブの存在を示すジョブアイコンがある場合は、これら後続のジョブアイコンは、画面右側位置へと水平に移動する。
【０１１３】
このようなスライド操作では、情報ウインドウ２０１の表示領域となる対をなす２つのアイコン１０４・１０４’間の大きさは、その操作量に応じて変化する。したがって、情報ウインドウ２０１の表示サイズも、該領域の広さに見合うように調整され、横方向に拡縮表示される。
【０１１４】
ここで、サテライトアイコン１０４’の移動には、例えば、情報ウインドウ２０１の最大の表示サイズを設定しておき、最大表示サイズによる表示が可能となった位置にて規制するようにすることが好ましい。
【０１１５】
このような情報ウインドウ２０１の最大サイズは、固定であってもよいが、ジョブアイコンの表示数が多い場合などは、最大サイズで開くと、全てのジョブアイコンを表示しきれなくなる。したがって、そのような場合は、最大サイズを小さくするような構成としてもよい。また、逆に、最大サイズは固定とし、ジョブアイコン間隔を狭くするようにしてもよい。
【０１１６】
また、図８に示すように、ジョブアイコン１０４をタッチ操作することでも、情報ウインドウ２０１は表示される。タッチ操作の場合は、操作と同時に、図９に示すように、内容の確認が容易な所定のサイズの情報ウインドウが表示される。この場合も、操作されたジョブアイコン１０４と同じ形状のサテライトアイコン１０４’の間に、情報ウインドウ２０１が表示される。
【０１１７】
表示された情報ウインドウ２０１は、両サイドにあるアイコン１０４・アイコン１０４’のうちの何れかがタッチ操作することで消去される。情報ウインドウの消去と共に、第２ジョブアイコン１０４’も消去される。
【０１１８】
また、サテライトアイコン１０４’を、元のジョブアイコン１０４に重ね合わせるようにスライド操作することでも、消去される。この場合は、スライド操作の量に応じて、情報ウインドウ２０１は徐々に小さくっていき、やがて消えることとなる。
【０１１９】
さらに、情報ウインドウ２０１を消去させる操作を行わなくても、情報ウインドウ２０１は、表示されてから予め定める時間が経過すると消去されるようになっている。また、表示している情報ウインドウに関するジョブの処理が完了した場合も自動的に消去されるようになっている。
【０１２０】
情報ウインドウの消去と同時、或いは追随するように、情報ウインドウ２０１の表示領域を確保するために、画面右側位置に表示されていた他のジョブアイコンは、画面左に移動し、元の位置に表示される。
【０１２１】
複数のジョブアイコンが操作された場合は、操作された各ジョブアイコンに関する情報ウインドウが、並行して表示される。例えば図１０に示すように、情報ウインドウ２０２が表示されている状態で、「ＦＡＸ」と記されたジョブアイコン１０３を操作すると、図１１に示すように、新たな情報ウインドウ２０４が追加表示されることとなる。
【０１２２】
ここで、参照符号２０２にて示す情報ウインドウは、「プリンタ」と記されたジョブアイコン１０１が操作されることで表示される機能情報「プリンタ」の情報ウインドウである。また、参照符号２０４にて示す情報ウインドウは、「ＦＡＸ」と記されたジョブアイコン１０３が操作されることで表示される機能情報「ＦＡＸ」の情報ウインドウである。
【０１２３】
このように複数の情報ウインドウが表示されている状態で、何れかの情報ウインドウに関するジョブアイコンがスライド操作されて表示サイズが変化すると、これに連動して他の情報ウインドウの表示サイズも変化する。
【０１２４】
その様子を図１２、図１３に示す。図１２は、複数の情報ウインドウ２０３・２０１が並んで表示されている状態を示す。ここで、参照符号２０３にて示す情報ウインドウは、「ｉＦＡＸ」と記されたジョブアイコン１０２が操作されることで表示される機能情報「ｉＦＡＸ」の情報ウインドウである。
【０１２５】
この図１２に示す表示の状態で、「ＵＳＢ」と記されたジョブアイコン１０４がスライド操作されると、図１３に示すように、このジョブアイコン１０４に関する情報ウインドウ２０１の表示領域が広がり、情報ウインドウ２０１の表示サイズが大きくなる一方、もう一方の情報ウインドウ２０３の表示領域が狭くなり、表示サイズも小さくなる。
【０１２６】
情報ウインドウ２０３は、予め定められている所定の最小サイズまで小さくなり、ジョブアイコン１０４も、情報ウインドウ２０３が最小サイズとなるまでは、左方向にスライド移動させることが可能である。
【０１２７】
次に、印刷ジョブの機能情報に応じて定められている情報ウインドウについて説明する。
【０１２８】
図９（図７）に示すように、機能情報「ＵＳＢ」のジョブに関する情報ウインドウ２０１には、接続されているＵＳＢメモリ５０内にある全ファイルのファイル名の情報「Ｗ１，Ｗ２…，Ｘ１，Ｘ２…」が表示される。さらに、方向キー２１０、プリントキー２１１、及びＯＫキー２１５等が表示される。
【０１２９】
方向キー２１０は、ファイルを選択する際に使用されるもので、該キー２１０を操作することで、「Ｗ１，Ｗ２…，Ｘ１，Ｘ２…」のうちの１つが選択される。プリントキー２１１は、印刷処理を指定するためのもので、あるファイルが選択されている状態でこのプリントキー２１１が操作されると、プリント指示が入力される。ＯＫキー２１５は、選択が完了したことを入力するためのキーであり、プリントキー２１１の操作に続けてＯＫキー２１５を操作することで、プリント指示が有効となる。
【０１３０】
複数のファイルの印刷処理を指定する場合は、方向キー２１０を使用してのファイルの選択と、続くプリントキー２１１、ＯＫキー２１５の操作を、選択したファイルの数だけ繰り返して行う。
【０１３１】
また、図１０に示すように、機能情報「プリンタ」のジョブに関する情報ウインドウ２０２には、当該印刷ジョブにおいて指定されている、記録シートのサイズの情報「Ａ４」、部数の情報「３部」、画像データの送信元の情報「ＰＣ  ７号機」、画像データのファイル名の情報「０６Ｊ０５６ＸＸ」、ユーザ名の情報「０６０ＺＭＯ」等が表示される。
【０１３２】
さらに、情報ウインドウ２０２には、キャンセルキー２１４及びＯＫキー２１５も表示される。キャンセルキー２１４は、このジョブに対する画像形成部６における印刷処理をキャンセルするためのキーである。また、ＯＫキー２１６は、情報ウインドウ２０２からの指示の入力を終了するときに操作するためのキーである。情報ウインドウ２０２の場合であれば、キャンセルキー２１４を操作した後、ＯＫキー２１６を操作することで、キャンセル指示が有効となる。
【０１３３】
また、図１１に示すように、機能情報「ＦＡＸ」のジョブに関する情報ウインドウ２０４には、この印刷ジョブにおいて指定されている、記録シートのサイズの情報「Ａ４」、枚数の情報「３枚」、送信元の電話番号の情報等が、上記したキャンセルキー２１４及びＯＫキー２１６と共に表示される。
【０１３４】
また、図１２に示すように、機能情報「ｉＦＡＸ」のジョブに関する情報ウインドウ２０３には、この印刷ジョブにおいて指定されている、記録シートのサイズの情報「Ａ４」、枚数の情報「７枚」、送信元のメールアドレスの情報等が、上記したキャンセルキー２１４及びＯＫキー２１６と共に表示される。
【０１３５】
図１６のフローチャートを用いて、ジョブを新たに受け付け場合に、一定の期間のみ新規受付の表示形態でジョブアイコンを表示する処理手順を説明する。
【０１３６】
ジョブ受付部３１が、ジョブデータを受信してジョブを受け付け、ジョブ検出部３４が新たなジョブの受付を検出すると、タッチパネル制御部３６にこれを伝える。一方、ジョブ管理部３２は、新たに受け付けたジョブのジョブ受信経路を確認し（Ｓ１）、機能情報を割り当てる。
【０１３７】
タッチパネル制御部３６は、新たに受け付けたジョブに割り当てら得た機能情報を、ジョブ管理部３２を参照して取得し、機能情報に基づいた形状（種類）のジョブアイコンを決定する（Ｓ２）。
【０１３８】
次に、タッチパネル制御部３６は、ジョブ管理部３２を参照してジョブ受信状況を確認し（Ｓ３）、新たに受け付けたジョブに関するジョブアイコンの表示位置を決定する（Ｓ４）。
【０１３９】
このようにして、表示すべきジョブアイコンの種類が決まると、タッチパネル制御部３６は、ジョブアイコンを新規受付の表示形態にて表示し（Ｓ５）、続けてタイマーをセットする（Ｓ７）。その後、予め定める時間ｔ１が経過すると、ジョブアイコンの表示形態を、通常の処理待ちの表示形態に変更する（Ｓ８）。
【０１４０】
図１７のフローチャートを用いて、情報ウインドウを表示する処理手順を説明する。操作検出部３８は、タッチパネル４ｃにジョブアイコンを表示している状態で、ジョブアイコンが押圧されたことを検出すると、押圧されたジョブアイコンを特定し、タッチパネル制御部３６に伝える（Ｓ１１）。
【０１４１】
タッチパネル制御部３６は、ジョブ管理部３２を参照して押圧されたジョブアイコンの詳細情報を確認する（Ｓ１２）。操作検出部３８は、続けて、その操作方法、つまり、スライド操作であるのかタッチ操作であるのかを検出して、タッチパネル制御部３６に送る（Ｓ１３）。タッチパネル制御部３６は、その操作方法に応じて、操作されたジョブアイコンの情報ウインドウを表示して詳細情報を提示する。
【０１４２】
以上のように、本実施形態のプリンタ装置は、タッチパネル４ｃの画面に、装置が受け付けたジョブの存在を示すジョブアイコンが表示されると共に、ジョブアイコンが表示されている状態で、画面を操作することで、表示しているジョブアイコンのジョブに関する情報ウインドウが追加表示されるようになっている。
【０１４３】
したがって、タッチパネル４ｃの限られた表示面積であっても、ユーザは、プリンタ装置１のジョブの受け付け状態を容易に把握することがで、かつ、受け付けたジョブの詳細な情報を、他画面への遷移を伴うことなく、ジョブアイコンが表示されている画面のままで確認することができる。
【０１４４】
これにより、ユーザは、プリンタ装置１が受け付けたジョブの処理状況を、ジョブの詳細情報を含め、タッチパネル４ｃの限られた表示面積を有効に利用して容易に把握することができる。
【０１４５】
なお、情報ウインドウに開示される情報や、情報ウインドウを表示してから自動的に消去させるまでの時間、新規受付の表示形態から通常の処理待ちの表示形態へと戻すまでの時間などは、ユーザに要望に応じて変更できる構成とすることもできる。
【０１４６】
最後に、画像データ処理装置であるプリンタ装置１の各ブロック、特にジョブ情報表示制御部３０は、ハードウェアロジックによって構成してもよいし、次のようにＣＰＵを用いてソフトウェアによって実現してもよい。
【０１４７】
すなわち、プリンタ装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるプリンタ装置１の制御プログラムのプログラムコード（実行形式プログラム、中間コードプログラム、ソースプログラム）をコンピュータで読み取り可能に記録した記録媒体を、上記プリンタ装置１に供給し、そのコンピュータ（またはＣＰＵやＭＰＵ）が記録媒体に記録されているプログラムコードを読み出し実行することによっても、達成可能である。
【０１４８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４９】
また、プリンタ装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【図面の簡単な説明】
【０１５０】
【図１】本発明の実施形態を示すものであり、プリンタ装置におけるジョブ情報表示機能を実現する要部の機能ブロック図である。
【図２】上記プリンタ装置の全体構成を示す機能ブロック図である。
【図３】上記プリンタ装置のジョブ情報表示制御部によるジョブ情報の表示の仕方について説明する説明図である。
【図４】上記プリンタ装置のジョブ情報表示制御部によるジョブ情報の表示の仕方について説明する説明図である。
【図５】上記プリンタ装置のジョブ情報表示制御部によるジョブ情報の表示の仕方について説明する説明図である。
【図６】上記プリンタ装置のジョブ情報表示制御部によるジョブ情報の表示の仕方について説明する説明図である。
【図７】上記プリンタ装置のジョブ情報表示制御部によるジョブ情報の表示の仕方について説明する説明図である。
【図８】上記プリンタ装置のジョブ情報表示制御部によるジョブ情報の表示の仕方について説明する説明図である。
【図９】上記プリンタ装置のジョブ情報表示制御部によるジョブ情報の表示の仕方について説明する説明図である。
【図１０】上記プリンタ装置のジョブ情報表示制御部によるジョブ情報の表示の仕方について説明する説明図である。
【図１１】上記プリンタ装置のジョブ情報表示制御部によるジョブ情報の表示の仕方について説明する説明図である。
【図１２】上記プリンタ装置のジョブ情報表示制御部によるジョブ情報の表示の仕方について説明する説明図である。
【図１３】上記プリンタ装置のジョブ情報表示制御部によるジョブ情報の表示の仕方について説明する説明図である。
【図１４】上記プリンタ装置のジョブ情報表示制御部によるジョブ情報の表示の仕方について説明する説明図である。
【図１５】上記プリンタ装置のジョブ管理部が有する管理テーブルの内容を示す説明図である。
【図１６】上記プリンタ装置のジョブ情報表示制御部が実施する、ジョブを新たに受け付け場合に、一定の期間のみ新規受付の表示形態でジョブアイコンを表示する処理手順を説明するフローチャートである。
【図１７】上記プリンタ装置のジョブ情報表示制御部が実施する、情報ウインドウを表示する処理手順を説明するフローチャートである。
【符号の説明】
【０１５１】
１    プリンタ装置（画像データ処理装置）
６    画像形成部（ジョブ処理部）
４    操作部（表示入力部）
４ａ  タッチパネル
５    ＦＡＸモデム
７    通信インターフェース
８    機器制御部
１０    通信部
１４    管理部
３０    ジョブ情報表示制御部
３１    ジョブ受付部
３２    ジョブ管理部
３４    ジョブ検出部
３５    ジョブアイコン格納部
３６    タッチパネル制御部
３８    操作検出部
【図１】
2008225708.tif 000003
【図２】
2008225708.tif 000004
【図３】
2008225708.tif 000005
【図４】
2008225708.tif 000006
【図５】
2008225708.tif 000007
【図６】
2008225708.tif 000008
【図７】
2008225708.tif 000009
【図８】
2008225708.tif 000010
【図９】
2008225708.tif 000011
【図１０】
2008225708.tif 000012
【図１１】
2008225708.tif 000013
【図１２】
2008225708.tif 000014
【図１３】
2008225708.tif 000015
【図１４】
2008225708.tif 000016
【図１５】
2008225708.tif 000017
【図１６】
2008225708.tif 000018
【図１７】
2008225708.tif 000019